(57)【要約】【課題】内容物の詰替作業を簡単かつ確実に行うことができるパウチ容器を提供する。【解決手段】柔軟性シートによって袋状に形成された容器本体に、スクリューキャップ２３によって開閉可能な口部２２を有するスパウトが装着されている。口部２２は、厚肉に形成された下半部２２２の下端に、その外周面から外側に張り出す円形状のフランジ２２３が連設されており、下半部２２２の外周面には、径方向外側に突出する突条２２５が形成されている。突条２２５を含む下半部２２２の外周面及びフランジ２２３の上面には、下半部２２２の上端からフランジ２２３の外縁まで延びる溝２２６が部分的に形成されており、パウチ容器の口部２２をボトル容器の口部Ｍに嵌入すると、溝２２６の形成部分において、ボトル容器の口部Ｍとパウチ容器の口部２２との間に、ボトル容器Ｂ内の空気を流出可能な空気流出路が形成されるようになっている。【選択図】        図３
2004231217.tif 000002
【特許請求の範囲】
【請求項１】
柔軟性シートによって袋状に形成された容器本体に、スクリューキャップによって開閉可能な口部を有するスパウトが装着されたパウチ容器において、
前記スパウトの口部は、特定容器の口部に嵌合可能に形成されており、
前記スパウトの口部が前記特定容器の口部に嵌合した状態では、前記特定容器の口部と前記スパウトとの間に、前記特定容器内の空気を流出可能な空気流出路が形成されるようになっていることを特徴とするパウチ容器。
【発明の詳細な説明】
【０００１】
【発明の属する技術分野】
この発明は、例えば、ボトル容器等に詰め替えるためのシャンプー、洗剤、油といった詰替用の液体商品が充填されるパウチ容器、特に、詰替作業性に優れたパウチ容器に関する。
【０００２】
【従来の技術】
シャンプーや洗剤等の液体商品は、ボトル容器等に充填された状態で販売されていたが、ボトル容器等の有効利用を図るために、近年では、シャンプー等の液体商品を簡易なパウチ容器に充填した詰替用の液体商品が販売されている。
【０００３】
従って、消費者は、最初はボトル容器等に充填された液体商品を購入することになるが、この液体商品を使い切った場合は、ボトル容器等に充填された液体商品を新たに購入するのではなく、簡易なパウチ容器に充填された同じ商品である詰替用の液体商品を購入し、空になったボトル容器等に液体商品だけを詰め替えるようになってきている。
【０００４】
ところで、こういった詰替用の液体商品を充填するパウチ容器は、詰替後に廃棄する際の取扱性やコスト等を考慮して、合成樹脂シート等の柔軟性シートによって単に袋状に形成されているだけのものが多く、こういったパウチ容器に充填された詰替用の液体商品をボトル容器等に移し替える際は、例えば、図７（ａ）に示すように、パウチ容器５０の上端コーナー部を斜めに切除することによって、液体商品の注出口５１を形成し、同図（ｂ）に示すように、この注出口５１からボトル容器６０等に液体商品を注ぎ入れることになる。
【０００５】
【特許文献１】
特開平１０−２１１９４２号公報
【特許文献２】
特開２００２−２１１５８９号公報
【０００６】
【発明が解決しようとする課題】
しかしながら、こういった詰替用の液体商品を充填するパウチ容器は、当然のことながら保形性がなく、所定の姿勢を維持することが難しいので、内容物の詰替作業中に、内容物をパウチ容器からボトル容器等にうまく注ぎ入れることができず、内容物をこぼしてしまう場合があり、内容物の詰替作業を安定した状態で確実に行うことができないといった問題がある。
【０００７】
そこで、この発明の課題は、内容物の詰替作業を簡単かつ確実に行うことができるパウチ容器を提供することにある。
【０００８】
【課題を解決するための手段及びその効果】
上記の課題を解決するため、この発明は、柔軟性シートによって袋状に形成された容器本体に、スクリューキャップによって開閉可能な口部を有するスパウトが装着されたパウチ容器において、前記スパウトの口部は、特定容器の口部に嵌合可能に形成されており、前記スパウトの口部が前記特定容器の口部に嵌合した状態では、前記特定容器の口部と前記スパウトとの間に、前記特定容器内の空気を流出可能な空気流出路が形成されるようになっていることを特徴とするパウチ容器を提供するものである。
【０００９】
以上のように、このパウチ容器は、スパウトの口部が、特定容器の口部に嵌合可能に形成されているので、例えば、パウチ容器に充填された内容物を特定容器に移し替える場合は、スパウトの口部を特定容器の口部に嵌合させることによって、両者の口部同士を確実に接続することができる。従って、容器本体自体に保形性がなくても、内容物をこぼすことなく、内容物の移替作業を安定した状態で行うことが可能となる。
【００１０】
また、スパウトの口部が特定容器の口部に嵌合した状態では、特定容器の口部とスパウトとの間に、特定容器内の空気を流出可能な空気流出路が形成されるようになっているので、パウチ容器から特定容器に内容物を移し替える際、スパウトの口部と特定容器の口部とが相互に嵌合した状態であっても、特定容器内への内容物の流入に伴って、特定容器内の空気が空気流出路を通って外部に確実に排出されるので、内容物の移替作業を円滑かつ確実に行うことができる。
【００１１】
【発明の実施の形態】
以下、実施の形態について図面を参照して説明する。図１（ａ）、（ｂ）、（ｃ）に示すパウチ容器１は、ポンプ式のボトル容器（特定容器）に詰め替えるためのシャンプーが充填されるものであり、ポリエチレンやポリプロピレン等の熱接着性を有する合成樹脂フィルムの外面に、ガスバリア性シート等を積層した二軸延伸ポリエステルフィルム等をラミネートした厚さ１００〜１５０μｍ程度の柔軟性シートによって形成された、扁平状態に折り畳み可能な容器本体１０と、この容器本体１０に取り付けられる熱接着性樹脂によって形成されたスパウト２０とから構成されている。
【００１２】
前記容器本体１０は、同図（ｃ）に示すように、表裏一対の外装シート１２、１３と、この外装シート１２、１３の下端部において両者の間に折り込まれるガセットシート１５とから構成されており、外装シート１２、１３の上縁部及び両側縁部が相互にヒートシールされることによって胴部１１が形成されると共に、外装シート１２、１３間に折り込まれたガセットシート１５の周縁を外装シート１２、１３の内面にヒートシールすることによって胴部１１の下端開口部を閉塞するボトムガセット部１４が形成されている。
【００１３】
前記スパウト２０は、外装シート１２、１３の上端縁に挟み込まれた状態で、外装シート１２、１３にヒートシールされる装着部２１と、この装着部２１に連設された円筒状の口部２２とを備えており、口部２２は、スクリューキャップ２３によって開閉することができるようになっている。
【００１４】
前記口部２２は、薄肉に形成された上半部２２１と、厚肉に形成された下半部２２２とを備えており、上半部２２１の外周面にはスクリューキャップ２３の内周面に形成された雌ねじ２３ａが螺合する雄ねじ２２４が形成されていると共に、下半部２２２の下端には、その外周面から外側に張り出す円形状のフランジ２２３が連設されている。
【００１５】
また、下半部２２２の外周面には、径方向外側に突出する突条２２５が形成されており、この突条２２５は、図３に示すように、パウチ容器１の口部２２をボトル容器の口部Ｍに嵌入したとき、突条２２５がボトル容器の口部Ｍの内周面に接触するように、その突出量が設定されている。
【００１６】
また、図２（ｂ）に示すように、突条２２５がスクリューキャップ２３の下端に形成されたタンパーリング２３ｂに係合しており、スクリューキャップ２３を開栓方向に回すことにより、タンパーリング２３ｂがスクリューキャップ２３から切り離されて、開封されたことが分かるようになっている。
【００１７】
また、突条２２５を含む下半部２２２の外周面及びフランジ２２３の上面には、図２（ａ）、（ｂ）に示すように、周方向の４カ所に、下半部２２２の上端からフランジ２２３の外縁まで延びる溝２２６が形成されており、図３に細い矢印で示すように、パウチ容器１の口部２２をボトル容器の口部Ｍに嵌入すると、溝２２６の形成部分において、ボトル容器の口部Ｍとパウチ容器１の口部２２との間に、ボトル容器Ｂ内の空気を流出可能な空気流出路が形成されるようになっている。
【００１８】
以上のように構成されたパウチ容器１に充填されたシャンプーをボトル容器に詰め替える場合は、例えば、まず、図４（ａ）に示すように、シャンプーが充填されたパウチ容器１を自立させた状態で口部２２からスクリューキャップ２３を外し、空のボトル容器Ｂを上下逆さまにしてその口部Ｍを、パウチ容器１の口部２２に外嵌することによって両者を接続する。
【００１９】
このとき、図３に示すように、ボトル容器Ｂの口部Ｍの先端がパウチ容器１の口部２２のフランジ２２３に当接すると共に、パウチ容器１の口部２２の外周面に形成された突条２２５がボトル容器Ｂの口部Ｍの内周面に接触することによって、両者の口部２２、Ｍが相互に位置決めされるので、両者の口部２２、Ｍを安定した状態で確実に接続することができる。
【００２０】
続いて、図４（ｂ）に示すように、パウチ容器１の口部２２と、ボトル容器Ｂの口部Ｍを相互に接続した状態で、両者を上下反転させると、パウチ容器１内に充填されたシャンプーがボトル容器Ｂ内に流入し始める。このとき、上述したように、ボトル容器Ｂの口部Ｍとパウチ容器１の口部２２との間に空気流出路が形成されているので、図３に太い矢印で示すように、パウチ容器１からボトル容器Ｂ内にシャンプーが流入するに従って、同図に細い矢印で示すように、ボトル容器Ｂ内の空気が空気流出路を通ってボトル容器Ｂ外に流出し始める。
【００２１】
従って、パウチ容器１からボトル容器Ｂへのシャンプーの流入が妨げられることがなく、パウチ容器１に充填されたシャンプーをこぼさずに、ボトル容器Ｂに円滑かつ確実に移し替えることができる。
【００２２】
図５及び図６は他の実施形態を示している。このパウチ容器は、口部２２Ａの形状が一部異なる点を除いて、上述したパウチ容器１と基本的に同一構成を有しているので、同一構成要素については、同一符号を付してその説明を省略し、口部２２Ａの形状について詳細に説明する。
【００２３】
上述したパウチ容器１では、その口部２２に形成されたフランジ２２３にボトル容器Ｂの口部Ｍの先端を当接させると共に、口部２２の外周面に形成された突条２２５をボトル容器Ｂの口部Ｍの内周面に接触させることによって、接続状態にあるパウチ容器１の口部２２とボトル容器Ｂの口部Ｍとの接続方向及び径方向の位置決めを行うようにしているが、このパウチ容器では、その口部２２Ａの先端部分に、ボトル容器Ｂの先端部分が嵌合可能な嵌合部を形成し、この嵌合部にボトル容器Ｂの口部Ｍの先端部分を嵌合させることによって、接続状態にあるパウチ容器の口部２２Ａとボトル容器Ｂの口部Ｍとの接続方向及び径方向の位置決めを行うようにした点で、両者はその構成を異にしている。
【００２４】
即ち、このパウチ容器の口部２２Ａは、図５（ａ）、（ｂ）に示すように、スクリューキャップ２３の内周面に形成された雌ねじ２３ａが螺合する雄ねじ２２４や、スクリューキャップ２３を回して開栓する際、開封されたことが分かるように、スクリューキャップ２３の下端に形成されたタンパーリング２３ｂをスクリューキャップ２３から切り離すために、タンパーリング２３ｂに係合する突条２２５が形成された筒状の口部本体２２１Ａを有しており、この口部本体２２１Ａと、この口部本体２２１Ａの内側に、ボトル容器Ｂの口部Ｍの先端部の肉厚分の隙間が形成されるように配置された、先端部が口部本体２２１Ａから突出する小径の中筒体２２２Ａと、この中筒体２２２Ａを、その基端部で口部本体２２１Ａに部分的に連結する連結部２２３Ａとによって、前記嵌合部が形成されている。
【００２５】
従って、図６に示すように、ボトル容器Ｂの口部Ｍの先端部を口部本体２２１Ａと中筒体２２２Ａとの間に形成された隙間に嵌入すると、ボトル容器Ｂの口部Ｍの先端部が連結部２２３Ａに当接し、パウチ容器の口部２２Ａとボトル容器Ｂの口部Ｍとの接続方向及び径方向の位置決めが行われる。これによって、上述したパウチ容器１と同様に、充填されたシャンプーをこぼすことなく、パウチ容器からボトル容器Ｂへのシャンプーの移替作業を安定した状態で行うことが可能となる。
【００２６】
また、上述したパウチ容器１では、口部Ｍにおける下半部２２２の外周面及びフランジ２２３の上面に形成された４カ所の溝２２６によって、ボトル容器Ｂの口部Ｍとパウチ容器１の口部２２との間に空気流出路を形成するようにしているが、このパウチ容器では、図５（ａ）、（ｂ）に示すように、中筒体２２２Ａとの間に隙間が形成されるように、中筒体２２２Ａの内側に配置され、環状の連結部２２７Ａによって基端部が口部本体２２１Ａに連結された内筒体２２６Ａを設けると共に、口部本体２２１Ａの内周面に、口部本体２２１Ａの先端から連結部２２７Ａまで延びる溝２２８Ａを形成している。
【００２７】
従って、図６に示すように、パウチ容器の口部２２Ａに形成された嵌合部にボトル容器Ｂの口部Ｍの先端部を嵌入すると、口部本体２２１Ａと中筒体２２２Ａとの間の隙間が閉塞されるが、溝２２８Ａの形成部分において、ボトル容器Ｂの口部Ｍとパウチ容器の口部本体２２１Ａとの間に、中筒体２２２Ａと内筒体２２６Ａとの間の隙間（空気流出路）に繋がる空気流出路が形成され、同図に太い矢印で示すように、パウチ容器からボトル容器Ｂ内にシャンプーが流入するに従って、同図に細い矢印で示すように、ボトル容器Ｂ内の空気が空気流出路を通ってボトル容器Ｂ外に流出することになる。これによって、上述したパウチ容器１と同様に、パウチ容器からボトル容器Ｂへのシャンプーの流入が妨げられることがなく、パウチ容器に充填されたシャンプーを、ボトル容器Ｂに円滑かつ確実に移し替えることができる。
【００２８】
なお、上述したパウチ容器１では、口部２２における肉厚の下半部２２２に形成された突条２２５をボトル容器Ｂの口部Ｍの内周面に接触させ、その下半部２２２及びフランジ２２３に溝２２６を形成するようにしているが、これに限定されるものではなく、スパウトの口部は、ボトル容器Ｂの口部Ｍに嵌合可能に形成されており、しかも、スパウトの口部がボトル容器Ｂの口部Ｍに嵌合した状態で、ボトル容器Ｂの口部Ｍとスパウトの口部との間に、ボトル容器Ｂ内の空気を流出可能な空気流出路が形成されるようになっていればよい。従って、例えば、パウチ容器における口部の外周面に形成される雄ねじが、ボトル容器Ｂの口部Ｍの内周面に接触するように、パウチ容器の口部の外径を設定し、雄ねじを周方向に分断すると共に、フランジの上面に溝を形成することによって空気流出路を形成することも可能である。
【００２９】
また、上述した実施形態では、装着部２１及び口部２２からなるスパウト２０を使用しているが、これに限定されるものではなく、例えば、図１（ｃ）に二点鎖線で示すように、容器本体１０内に進入する筒状または棒状の保形部材２４が装着部２１に連設されたスパウトを使用することで、詰替時におけるパウチ容器の首折れを防止するようにしてもよい。
【００３０】
また、上述した実施形態では、容器本体１０がボトムガセット部を有する自立性のあるパウチ容器１について説明したが、これに限定されるものではなく、本発明は、スクリューキャップによって開閉可能な口部を有するのであれば、種々のパウチ容器に適用することができる。従って、容器本体は平袋やサイドガセット袋等であってもよい。
【００３１】
また、上述した実施形態では、詰替用のシャンプーを充填するパウチ容器について説明したが、これに限定されるものではなく、本発明は洗剤や油等の詰替用の液体商品を充填する種々のパウチ容器に適用することができることはいうまでもない。
【図面の簡単な説明】
【図１】（ａ）はこの発明にかかるパウチ容器の一実施形態を示す斜視図、（ｂ）は同上のパウチ容器を示す側面図、（ｃ）は同上のパウチ容器を扁平に折り畳んだ状態を示す正面図である。
【図２】（ａ）は同上のパウチ容器における口部を示す平面図、（ｂ）は（ａ）のＸ−Ｘ線に沿った断面図である。
【図３】同上のパウチ容器の口部とボトル容器の口部とを相互に嵌合させた状態を示す断面図である。
【図４】同上のパウチ容器に充填されたシャンプーをボトル容器に移し替える際の工程を説明するための説明図である。
【図５】（ａ）は他の実施形態であるパウチ容器における口部を示す平面図、（ｂ）は（ａ）のＹ−Ｙ線に沿った断面図である。
【図６】同上のパウチ容器の口部とボトル容器の口部とを相互に嵌合させた状態を示す断面図である。
【図７】（ａ）、（ｂ）は従来のパウチ容器に充填されたシャンプーをボトル容器に移し替える際の工程を説明するための説明図である。
【符号の説明】
１  パウチ容器
１０  容器本体
１１  胴部
１２、１３  外装シート
１４  ボトムガセット部
１５  ガセットシート
２０  スパウト
２１  装着部
２２、２２Ａ  口部
２２１  上半部
２２２  下半部
２２３  フランジ
２２４  雄ねじ
２２５  突条
２２６  溝
２２１Ａ  口部本体
２２２Ａ  中筒体
２２３Ａ  連結部
２２６Ａ  内筒体
２２７Ａ  連結部
２２８Ａ  溝
２３  スクリューキャップ
２３ａ  雌ねじ
２３ｂ  タンパーリング
Ｂ  ボトル容器（特定容器）
Ｍ  口部
【図１】
2004231217.tif 000003
【図２】
2004231217.tif 000004
【図３】
2004231217.tif 000005
【図４】
2004231217.tif 000006
【図５】
2004231217.tif 000007
【図６】
2004231217.tif 000008
【図７】
2004231217.tif 000009